(57)【要約】【課題】開閉パネルとシフトパネルの左右位置を自由に入れ換えることができ、しかも開放状態において両パネルを完全に前後に重なる状態にして、開放幅を大きくできるフラット引戸を提供する。【解決手段】左右開閉のみ可能な開閉パネル６と、左右開閉と前後シフトが可能なシフトパネル５と、シフトパネル５を前後にシフト操作するためのシフト機構を有する。シフト機構は、ベース２４と、前後スライドするラックブロック２５と、シフトばね２８と、ラックブロック２５で前後に揺動操作される一対のピニオンレバー２６と、両ピニオンレバー２６に連動して前後揺動する平行リンク機構２７とで構成する。左右一対の平行リンク機構２７の出力レバー４５にシフトパネル５を連結して、シフトパネル５を閉じ位置から引き違い位置へ平行にシフト移動できるようにする。【選択図】図１
2009263947.tif 000002
【特許請求の範囲】
【請求項１】
左右開閉のみ可能な開閉パネル（６）と、左右開閉と前後シフトが可能なシフトパネル（５）とを備えているフラット引戸であって、
シフトパネル（５）には、シフトパネル（５）を前後にシフト操作するシフト機構と、シフトパネル（５）を閉じ位置においてロック保持するロック機構とが設けられており、
シフト機構は、ランナー（１５）で固定支持されるベース（２４）と、ベース（２４）で前後スライド自在に支持されるラックブロック（２５）と、ラックブロック（２５）と噛み合ってラックブロック（２５）の前後スライド動作を前後揺動に変換する左右一対のピニオンレバー（２６）と、両ピニオンレバー（２６）に連動して前後揺動する平行リンク機構（２７）と、ラックブロック（２５）をベース後方へ向かって移動付勢するシフトばね（２８）とを含み、
左右一対の平行リンク機構（２７）の出力レバー（４５）にシフトパネル（５）が連結されて、シフトパネル（５）が閉じ位置と引き違い位置との間で前後に平行移動できることを特徴とするフラット引戸。
【請求項２】
平行リンク機構（２７）が、ピニオンレバー（２６）と、ピニオンレバー（２６）に連結される第１リンク（４３）および出力レバー（４５）と、第１リンク（４３）と出力レバー（４５）とを連結する第２リンク（４６）とで構成されており、
第１リンク（４３）と第２リンク（４６）とを連結するピン（４７）が、ベース（２４）に設けたガイド体（４９）で往復スライドのみ可能に案内支持してある請求項１記載のフラット引戸。
【請求項３】
シフトパネル（５）が引き違い位置へ移動操作された状態において、出力レバー（４５）の一部がベース（２４）に設けた規制枠（５１）で浮き離れ不能に受け止め支持してある請求項１または２記載のフラット引戸。
【請求項４】
ロック機構が、シフトパネル（５）の側に設けられるロック爪（５４）と、ロック爪（５４）に対応してラックブロック（２５）に設けられるロック係合部（５５）と、ロック爪（５４）をロック係合部（５５）と係合する向きに移動付勢するロックばね（５６）と、ロックばね（５６）の付勢力に抗してロック爪（５４）をロック解除操作するロック解除具とを含み、
ロック爪（５４）とロック係合部（５５）とが係合するロック状態において、ラックブロック（２５）がシフトばね（２８）の付勢力に抗してベース前方の待機位置に位置保持されており、
ロック爪（５４）とロック係合部（５５）との係合が解除されたロック解除状態において、ラックブロック（２５）がシフトばね（２８）でベース後方のシフト位置へ移動操作されて、シフトパネル（５）を引き違い位置へ変位操作できる請求項１、２または３記載のフラット引戸。
【請求項５】
ロック機構のロック解除具が、シフトパネル（５）の前面に組み付けられる解除具（６５）と、ロック爪（５４）に連結される上下一対の解除ロッド（６６・６７）と、解除具（６５）と解除ロッド（６６・６７）との間に設けられて、解除具（６５）のロック解除動作を受けて両解除ロッド（６６・６７）を互いに接近する向きに引き寄せ操作するカム溝（８０）と受動ピン（７７）とで構成してある請求項４記載のフラット引戸。
【請求項６】
上下のランナー（１５）で上フレーム（１０・２０）と下フレーム（１１・１２）が固定支持されて、両フレーム（１０・２０・１１・１２）が縦枠（１２・２２）を介して連結されており、
シフトパネル（５）および開閉パネル（６）の内面複数箇所にフック（８５）が固定されており、
シフトパネル（５）および開閉パネル（６）がフック（８５）を介して前記フレーム（１０・２０・１１・１２）に設けた掛止壁（９０）に掛止装着されており、
前記フレーム（１０・２０・１１・１２）と、前記フック（８５）とが、シフトパネル（５）および開閉パネル（６）に締結固定してある請求項４または５記載のフラット引戸。
【請求項７】
シフトパネル（５）が閉じ位置から引き違い位置へ平行移動するときの移動動作を緩衝するダンパー（９３）がシフト機構に設けてある請求項１から６のいずれかに記載のフラット引戸。
【発明の詳細な説明】
【技術分野】
【０００１】
本発明は、台所用キャビネットなどに適用されるフラット引戸、なかでもキャビネット開口の上下に設けたガイドレールの、前後のレール溝で隣接する戸パネルを引き違い開閉する形態のフラット引戸に関する。
【背景技術】
【０００２】
この種のフラット引戸は例えば特許文献１に公知である。そこでは、閉じ状態において面一状に隣接する戸パネルのそれぞれを、ランナーを介して前後一対のガイドレールで引き違い開閉できるようにしてある。一方の戸パネル（以下開閉パネルという）は、ランナー枠とランナーを介してガイドレールで左右開閉のみ可能に案内してある。他方の戸パネル（以下シフトパネルという）は、ランナー枠とランナーを介してガイドレールで左右開閉自在に案内され、さらに、ランナー枠と戸パネルとの間に設けたリンクアームを介して、前後方向へシフト変位可能に支持されている。
【０００３】
戸パネルを開放操作するときシフトパネルを開閉パネルの前方へシフト移動させるために、開閉パネルの上下に引き違い専用のガイドレール（以下シフトレールという）を設け、さらに、先のランナー枠とリンクアームのそれぞれにシフトレールで移行案内されるローラーを設けている。また、上下のシフト機構を同期して前後にシフト移動させるために、開閉パネルとシフトパネルとの間に移動同期手段を設けている。
【０００４】
【特許文献１】特開２００３−１９３７３８号公報
【発明の開示】
【発明が解決しようとする課題】
【０００５】
上記のフラット引戸によれば、開閉パネルとシフトパネルのいずれか一方を開放操作することで、シフトパネルをキャビネットの前方へシフト移動させて、両パネルを引き違い開閉できる。しかし、両パネルの間に移動同期手段を設けるので、開閉パネルとシフトパネルの左右位置を入れ換えることができない。このことは、３個以上の戸パネルを備えているキャビネットにおいて、常に一定の手順に従って戸パネルを開閉操作する必要があることを意味しており、使い勝手が悪くなるのを避けられない。また、移動同期手段を設けるので、全開放状態において一方のパネルの側縁が、他方のパネルの側縁からはみ出る状態までしか両パネルを開放できず、キャビネット開口を大きく開放できない不便もある。
【０００６】
さらに、ランナー枠とリンクアームのそれぞれに設けたローラーをシフトレールで移行案内して、シフトパネルをキャビネットの前方へシフト移動させるので、両パネルを閉止した状態において、隣接するパネルの間に隙間が生じるのを避けられない。これは、シフトパネルが引き違い可能な位置までシフト移動するとき、シフトレールに案内されて斜め前方へ変位するためであり、シフト移動を完了するのに必要な左右方向の隙間を、開閉パネルとシフトパネルとの間に設ける必要があるからである。
【０００７】
本発明の目的は、開閉パネルとシフトパネルの左右位置を自由に入れ換えることができ、しかも開放状態において両パネルを完全に前後に重なる状態にして、キャビネット開口を大きく開放できるフラット引戸を提供することにある。本発明の目的は、シフトパネルが閉じ位置と引き違い位置との間を前後方向へ平行移動でき、したがって、全ての戸パネルを閉止した状態において、隣接するパネルの間に隙間が生じるのを阻止して、害虫や塵埃などの侵入を確実に防止でき、さらに外観上の印象を向上できるフラット引戸を提供することにある。本発明の目的は、シフトパネルをワンタッチ操作で自動的にシフト移動でき、さらにシフト移動したシフトパネルを閉じ位置へ復帰操作するだけで閉じ位置に位置保持できる、使い勝手に優れたフラット引戸を提供することにある。
【課題を解決するための手段】
【０００８】
本発明のフラット引戸は、左右開閉のみ可能な開閉パネル６と、左右開閉と前後シフトが可能なシフトパネル５とを備えている。シフトパネル５には、シフトパネル５を前後にシフト操作するシフト機構と、シフトパネル５を閉じ位置においてロック保持するロック機構とが設けられている。シフト機構は、ランナー１５で固定支持されるベース２４と、ベース２４で前後スライド自在に支持されるラックブロック２５と、ラックブロック２５と噛み合ってラックブロック２５の前後スライド動作を前後揺動に変換する左右一対のピニオンレバー２６と、両ピニオンレバー２６に連動して前後揺動する平行リンク機構２７と、ラックブロック２５をベース後方へ向かって移動付勢するシフトばね２８とを含む。左右一対の平行リンク機構２７の出力レバー４５にシフトパネル５を連結する。以て、シフトパネル５が閉じ位置と引き違い位置との間で前後に平行移動できることを特徴とする。
【０００９】
平行リンク機構２７は、ピニオンレバー２６と、ピニオンレバー２６に連結される第１リンク４３および出力レバー４５と、第１リンク４３と出力レバー４５とを連結する第２リンク４６とで構成する。第１リンク４３と第２リンク４６とを連結するピン４７は、ベース２４に設けたガイド体４９で往復スライドのみ可能に案内支持する。
【００１０】
シフトパネル５が引き違い位置へ移動操作された状態において、出力レバー４５の一部をベース２４に設けた規制枠５１で浮き離れ不能に受け止め支持する。
【００１１】
ロック機構は、シフトパネル５の側に設けられるロック爪５４と、ロック爪５４に対応してラックブロック２５に設けられるロック係合部５５と、ロック爪５４をロック係合部５５と係合する向きに移動付勢するロックばね５６と、ロックばね５６の付勢力に抗してロック爪５４をロック解除操作するロック解除具とを含む。ロック爪５４とロック係合部５５とが係合するロック状態において、ラックブロック２５がシフトばね２８の付勢力に抗してベース前方の待機位置に位置保持される。ロック爪５４とロック係合部５５との係合が解除されたロック解除状態において、ラックブロック２５がシフトばね２８でベース後方のシフト位置へ移動操作されて、シフトパネル５を引き違い位置へ変位操作できる。
【００１２】
ロック機構のロック解除具は、シフトパネル５の前面に組み付けられる解除具６５と、ロック爪５４に固定される上下一対の解除ロッド６６・６７と、解除具６５と解除ロッド６６・６７との間に設けられて、解除具６５のロック解除動作を受けて両解除ロッド６６・６７を互いに接近する向きに引き寄せ操作するカム溝８０と受動ピン７７とで構成する。
【００１３】
上下のランナー１５で上フレーム１０・２０と下フレーム１１・１２を固定支持する。両フレーム１０・２０・１１・１２は縦枠１２・２２を介して連結する。シフトパネル５および開閉パネル６の内面複数箇所にフック８５を固定する。シフトパネル５および開閉パネル６はフック８５を介して前記フレーム１０・２０・１１・１２に設けた掛止壁９０に掛止装着する。以て、上下フレーム１０・２０・１１・１２とフック８５とを、シフトパネル５および開閉パネル６に締結固定する。
【００１４】
シフトパネル５が閉じ位置から引き違い位置へ平行移動するときの移動動作を緩衝するダンパー９３をシフト機構に設ける。
【発明の効果】
【００１５】
本発明では、シフトパネル５と開閉パネル６を開閉体にしてフラット引戸を構成した。また、ラックブロック２５と、左右一対のピニオンレバー２６と、平行リンク機構２７と、シフトばね２８などでシフト機構を構成して、シフトパネル５を閉じ位置と引き違い位置とに前後シフトできるようにし、シフトパネル５を引き違い位置へ平行移動させた状態で、シフトパネル５および開閉パネル６を個別に開閉できるようにした。
【００１６】
上記のように、シフトパネル５を開閉パネル６の開閉軌跡の外の引き違い位置に位置させた状態で両パネル５・６を引き違い開閉できるようにすると、キャビネット本体１の前面開口２のうち、使用者の望む位置を速やかに開放できる。さらに、両パネル５・６の左右位置を自由に入れ換えることができるうえ、開放状態において両パネル５・６を完全に前後に重なる状態で開放して、開放された開口幅を大きくできる。また、シフトパネル５を前後に平行移動させるので、シフトパネル５と同パネルに隣接する戸パネルとの間に大きな隙間を設ける必要がなく、したがって、シフトパネル５を閉じた状態では、隣接するパネルの間に隙間が生じるのを阻止して、害虫や塵埃などの侵入を確実に防止でき、さらに外観上の印象を向上できる。
【００１７】
ピニオンレバー２６と、第１リンク４３と、第２リンク４６と、出力レバー４５などで平行リンク機構２７を構成し、第１・第２の両リンク４３・４６を連結するピン４７をベース２４に設けたガイド体４９で往復スライドのみ可能に案内支持すると、平行リンク機構２７を確動機構として構成できる。したがって、シフトパネル５をシフト機構で前後にシフト操作するときシフトパネル５が左右にぐらつくのを規制して、移動軌跡に無駄のない状態でシフトパネル５を平行移動できる。
【００１８】
シフトパネル５が引き違い位置へ移動操作された状態においては、ベース２４の前方へ突出する出力レバー４５にシフトパネル５の重量モーメントが作用して、出力レバー４５が前方突端へ向かって下り傾斜する傾向がある。しかし、出力レバー４５の一部をベース２４に設けた規制枠５１で浮き離れ不能に受け止め支持すると、先の重量モーメントに抗して出力レバー４５を適正な姿勢に保持して、平行リンク機構２７の全体が重量モーメントによって捻じられるのを防止できる。したがって、平行リンク機構２７を常に円滑に作動させて、シフトパネル５を適正に前後シフトできる。また、ベース２４に設けた規制枠５１と出力レバー４５とが協同して先の重量モーメントを受け止めるので、平行リンク機構２７を構成するレバー２６・４５やリンク４３・４６やピンなどの個々の構造強度を大きくする必要がない。したがって、先の重量モーメントに伴う負荷を平行リンク機構のみで担う場合に比べて、平行リンク機構２７を小形化し同時にコンパクト化して、シフト機構をより低コストで製造できる。
【００１９】
シフトパネル５に設けたロック爪５４をロック係合部５５に係合して、ラックブロック２５をシフトばね２８の付勢力に抗して待機位置にロック保持するロック機構によれば、シフトパネル５の前後遊動を規制した状態で閉じ位置に保持固定できる。また、ロック解除体でロック爪５４をロック解除操作するのと同時に、ラックブロック２５をシフトばね２８のばね力でスライド変位させて、シフトパネル５を自動的に引き違い位置へシフト移動できるので、従来のフラット引戸に比べてシフトパネル５の姿勢切り換えの手間を軽減し、フラット引戸の使い勝手を向上できる。
【００２０】
シフトパネル５の前面に設けた解除具６５と、ロック爪５４に固定される上下一対の解除ロッド６６・６７と、両解除ロッド６６・６７を操作するカム溝８０および受動ピン７７からなるカム機構などでロック解除具を構成すると、上下のロック爪５４を同時にロック解除操作して、シフトパネル５を引き違い位置へシフト移動できる。解除具６５をロック解錠操作するだけ、つまりワンタッチ操作するだけでシフトパネル５を引き違い位置へ自動的にシフト移動でき、さらに、シフトパネル５を閉じ位置へ復帰操作するだけで閉じ位置に位置保持できるので、フラット引戸の使い勝手をさらに向上できる。
【００２１】
シフトパネル５および開閉パネル６の内面複数箇所にフック８５を固定しておき、両パネル５・６をフック８５を介してフレーム１０・２０・１１・１２の掛止壁９０に掛止装着できるフラット引戸によれば、各パネル５・６とそれ以外の機構部材とを分けて組み付けることができるので、機構部材が確実に作動することを確かめたうえで、最後に両パネル５・６を組めばよく、フラット引戸を組立ミスのない状態で的確に施工できる。施工に要する手間も削減できる。
【００２２】
シフトパネル５が閉じ位置から引き違い位置へ平行移動するときの移動動作を緩衝するダンパー９３をシフト機構に設けると、引き違い位置へシフト移動するときにシフトパネル５が急速に跳ね出るのを防いで、ゆっくりとシフト移動させることができる。したがって、シフトパネル５が使用者の手や頭部などに衝突するのを防いで、安全にシフトパネル５を開放操作できる。
【発明を実施するための最良の形態】
【００２３】
以下、本発明のフラット引戸を台所用のキャビネットに適用した実施例を説明する。図２ないし図４において、フラット引戸は、キャビネット本体１の前面開口２の上下に配置されるガイドレール３・４と、これらのガイドレール３・４で開閉案内される３個の戸パネル５・６とで構成する。ガイドレール３・４は、前後一対ずつのレール溝７・８を備えたアルミニウム成形品からなり、上側のガイドレール３は、レール溝７・８が上向きに開口する状態でキャビネット本体１の天板に固定され、下側のガイドレール４は、レール溝７・８が下向きに開口する状態でキャビネット本体１の底板に固定してある。
【００２４】
３個の戸パネル５・６のうち、図２において中央の戸パネルは、閉じ位置と引き違い位置との間を前後にシフト変位できるシフトパネル５であり、このシフトパネル５の左右に左右開閉のみ可能な開閉パネル６が配置してある。シフトパネル５と開閉パネル６の縦横寸法、および厚み寸法は同じに設定してあり、これらのパネル５・６を閉じた全閉状態においては、各パネル５・６の前面が面一になる。
【００２５】
図５に示すように、開閉パネル６の内面上下には、上フレーム１０と下フレーム１１が固定され、上下フレーム１０・１１の対向面に縦枠１２が締結固定してある。上下フレーム１０・１１には、先のガイドレール３・４の上面および下面に被さる装着壁が張り出し形成してあり、これら装着壁のそれぞれに左右一対のランナー１５が固定してある。ランナー１５は、左右横長のランナー本体１６と、ランナー本体１６の前後面の左右に軸支される４個のランナーローラー１７とで構成してある。上下のランナー１５は上下のガイドレール３・４の前側のレール溝７・７で左右移動自在に案内されており、これにより開閉パネル６は左右方向へのみ開閉移動できる。
【００２６】
図６に示すように、シフトパネル５の内面上下には、上フレーム２０と下フレーム２１が固定され、上下フレーム２０・２１の対向面に縦枠２２が締結固定してある。シフトパネル５の内面には、上下のガイドレール３・４の後側のレール溝８・８で左右移動自在に案内されるランナー１５と、シフトパネル５を閉じ位置から開閉パネル６の前方の引き違い位置へシフト操作するシフト機構と、シフトパネル５を閉じ位置においてロック保持するロック機構とが設けてある。シフトパネル５を支持するランナー１５は、先に説明したランナー１５と同一構造に形成してある。上下ランナー１５とシフトパネル５とは上下一対のシフト機構を介して同行移動可能に連結してある。
【００２７】
図１および図７に示すように、シフト機構は、左右一対のランナー１５で固定支持されるベース２４と、ベース２４で前後スライド自在に支持されるラックブロック２５と、ラックブロック２５と噛み合う左右一対のピニオンレバー２６と、両ピニオンレバー２６に連動して前後揺動する左右一対の平行リンク機構２７と、ラックブロック２５をベース２４の後方へ向かって移動付勢するシフトばね２８などで構成する。符号３０はベース２４の上面開口を覆うプラスチック成形品からなるカバーである。下側のシフト機構は、上側のシフト機構とは上下を反転した状態で組み付けられる。
【００２８】
べース２４は、上向きに開口する横長シェル状のダイキャスト成形品からなり、その底壁の左右２個所ずつがビス２９でランナー本体１６に締結固定してある。ラックブロック２５は、左右両側に一群のラック歯３１が形成してある左右一対のラック体を有し、両ラック体の間にばね収容部３３が凹み形成してある。ラックブロック２５は、エンジニアリングプラスチック、またはダイキャスト成形品からなる。左右のラック体の下面には、それぞれリブ状のスライド片３４が突設してある。このスライド片３４をベース２４の内面に設けたガイド溝３５でスライド案内することにより、ラックブロック２５はベース２４の前端の待機位置と、ベース２５の後端のシフト位置との間を前後スライドできる。先のシフトばね２８はばね収容部３３に収容されて、その前端が掛止爪３６に掛止され、後端はベース２４の内面後部に設けたねじボス３７に掛止してある。
【００２９】
ピニオンレバー２６は、ベース２４に固定した揺動軸４０で前後揺動可能に軸支してあり、ラックブロック２５と隣接する部分円弧状のレバー周縁に、先のラック歯３１と噛み合うギヤ歯４１の一群が形成してある。ラックブロック２５の前後動作は、左右のピニオンレバー２６でそれぞれ前後方向の揺動動作に変換され、ピニオンレバー２６のレバー壁に設けた平行リンク機構２７を介して出力される。
【００３０】
平行リンク機構２７は、ピニオンレバー２６のレバー壁にピン４２で連結される第１リンク４３と、レバー壁の先端部分にピン４４で連結される三角形状の出力レバー４５と、第１リンク４３と出力レバー４５とを連結する第２リンク４６とで構成してある。第２リンク４６の一端はピン４７で第１リンク４３に連結してあり、第２リンク４６の他端はピン４８で出力レバー４５の内端に連結してある。各ピン４２・４４・４７・４８の中心どうしを結ぶ線は平行四辺形になっている。ピニオンレバー２６、第１リンク４３、出力レバー４５、および第２リンク４６は、いずれもステンレス板材を素材とするプレス成形品からなる。
【００３１】
第１リンク４３と第２リンク４６を連結するピン４７は、ベース２４に設けたガイド溝（ガイド体）４９で往復スライドのみ可能に案内支持されている。このように、ピン４７の動作をガイド溝４９で拘束することにより、ピニオンレバー２６が前後揺動するときの第１リンク４３の変位方向を特定して、出力レバー４５をピン４４の回りに前後揺動させることがきる。
【００３２】
左右の出力レバー４５の外端は、ピン５０を介して上フレーム２０および下フレーム２１に連結してある。したがって、ラックブロック２５が後方スライドするとき、図１に示すように左右のピニオンレバー２６は揺動軸４０を中心にして前方揺動し、さらに左右一対の出力レバー４５が平行リンク機構２７で前方揺動操作されて、シフトパネル５を引き違い位置へ平行移動できる。このとき、ピン４８の近傍に位置する出力レバー４５のレバー壁は、図１および図１２に示すようにベース２４に設けた規制枠５１で浮き離れ不能に受け止め支持してある。したがって、シフトパネル５の重量モーメントによって、ベース２４の前方へ突出する出力レバー４５が下向きに傾動するのをよく防止できる。ラックブロック２５が前方スライドするときは、ピニオンレバー２６および出力レバー４５は、図１１に示すように上記の場合とは逆向きに揺動してシフトパネル５を閉じ位置へ平行移動できる。
【００３３】
シフトパネル５をシフトばね２８の付勢力に抗して、閉じ位置でロック保持するためにロック機構を設けている。図８および図９においてロック機構は、上下フレーム２０・２１で上下スライド自在に案内支持される上下一対のロック爪５４と、ロック爪５４に対応してラックブロック２５の前縁左右に設けられるロック係合部５５と、ロック爪５４をロック係合部５５と係合する向きに移動付勢するロックばね５６と、ロックばね５６の付勢力に抗してロック爪５４をロック解除操作するロック解除具とで構成する。
【００３４】
図８に示すようにロック爪５４は、四角形状の縦壁５９の上端左右に係合爪６０を有し、縦壁５９の下端左右にスライド片６１を備えたプラスチック成形品からなる。縦壁５９の下端中央には、後述する解除ロッド６６・６７を差し込み固定するためのボス６２が形成してある。上下のロック爪５４は同じ構造に形成してある。スライド片６１を上下フレーム２０・２１に設けたガイド溝６３に圧嵌装着することにより、ロック爪５４は、その係合爪６０がロック係合部５５と係合する上方（または下方）のロック位置（図１０に示す状態）と、係合爪６０がロック係合部５５から分離する下方（または上方）のロック解除位置（図９に示す状態）との間を上下スライドできる。
【００３５】
ロック解除具は、シフトパネル５の前面下部に組み付けられる解除ボタン（解除具）６５と、上下のロック爪５４に固定される上下一対の解除ロッド６６・６７と、解除ボタン６５の押し込み動作を上下動作に変換するカム機構とで構成する。高所に配置されるキャビネットにおいて、解除ボタン６５は使用者の手が届きやすい、シフトパネル５の下部寄りに配置してある。カム機構は、上下の解除ロッド６６・６７の対向端に固定される上下一対のスライド枠６８と、両スライド枠６８を連結するカム枠７０とで構成する。上下のスライド枠６８は同じ構造に形成してある。解除ボタン６５をシフトパネル５の下部寄りに配置する関係で、上側の解除ロッド６６に比べて下側の解除ロッド６７は短く形成してある。
【００３６】
解除ボタン６５は、横長四角形状の操作ボタン６５ａと、操作ボタン６５ａの内方に突設される操作軸６５ｂとを一体に備えている。操作ボタン６５ａは、シフトパネル５に埋設したガイドケース７２で出没自在に案内され、さらに操作軸６５ｂはシフトパネル５の内面に装着したガイド板７３で前後スライド自在に案内してある。
【００３７】
スライド枠６８はコ字枠状のプラスチック成形品からなり、その上端壁（または下端壁）に解除ロッド６６（６７）を差し込み固定するためのボス７５が形成され、ボス７５の後面左右に規制片７６が張り出し形成してある。スライド枠６８の左右の腕部の対向面には、カム機構を構成する受動ピン７７が突設してあり、左右の腕部を繋ぐ端壁内面にはばね受け突起７８が形成してある。スライド枠６８は縦枠２２で上下スライド自在に案内支持されて、そのスライド片７６によって縦枠２２から浮き離れる向き（前方）への遊動が規制してある。上下のスライド枠６８に設けたばね受け突起７８の間に、圧縮コイル形のロックばね５６を配置することにより、上下のロック爪５４を解除ロッド６６・６７を介してロック付勢できる。
【００３８】
カム枠７０は、ステンレス板材を素材とする断面コ字状のプレス成形品からなる。左右に対向する枠側壁の上下には、先の受動ピン７７と係合するカム溝８０がハ字状に形成してある。カム枠７０は、解除ボタン６５の押し込み動作を受けて、縦枠２２内で前後動する。そのために、縦枠２２の後壁にカム枠７０の前後動作を許す逃げ溝８１が形成してある。ロック機構を構成する、両解除ロッド６６・６７と、カム機構、およびロックばね５６などは縦枠２２の内部に組み込んである。
【００３９】
シフトパネル５および開閉パネル６の内面の、上部左右および下部左右の４個所には、フック８５が固定してある。フック８５は、横臥Ｌ字状に折り曲がる連結壁８６と締結座８７を備えており、締結座８７の上縁に掛止爪８８が下向きに折り曲げてある。締結座８７をシフトパネル５および開閉パネル６の内面の所定位置にあてがい、座壁に設けた３個のビス穴に挿通したビスを各パネル５・６にねじ込むことにより、フック８５がパネル内面に固定される。
【００４０】
次に、各パネル５・６の組み付け手順例を説明する。キャビネット本体１の前面の上下のガイドレール３・４を固定し、前後のレール溝７・８のそれぞれに６個のランナー１５を嵌め込み装着する。開閉パネル６には、上記の要領で４個のフック８５を締結しておく。上フレーム１０と下フレーム１１と縦枠１２とを予め一体化しておき、上フレーム１０の装着壁をガイドレール３の前側のレール溝７に装着したランナー１５に締結する。同様にして、下フレーム１１の装着壁をガイドレール４の前側のレール溝７に装着したランナー１５に締結する。
【００４１】
上記の状態において、図５に示すように、開閉パネル６に固定したフック８５の掛止爪８８を、上下フレーム１０・１１の下部両側に設けた掛止壁９０に上方から掛止装着することにより、開閉パネル６を上下フレーム１０・１１および縦枠１２に仮組み装着できる。その状態で、連結壁８６を上下フレーム１０・１１にビスで締結することにより、開閉パネル６を上下フレーム１０・１１と一体化できる。
【００４２】
シフトパネル５には、予めロック解除具を組み込んでおき、上記の要領で４個のフック８５を締結しておく。シフト機構が組み込まれたベース２４を上下のランナー１５に締結し、その出力レバー４５に上下フレーム２０・２１をピン５０で連結する。このとき、上フレーム２０と下フレーム２１と縦枠２２とは、一体化されたユニット部品として取り扱うことができ、したがって上下フレーム２０・２１を出力レバー４５に連結するだけで、機構部品を一挙に組み付けることができる。
【００４３】
上記の状態において、図６に示すようにシフトパネル５に固定したフック８５の掛止爪８８を、上下フレーム２０・２１の下部両側に設けた掛止壁９０に上方から掛止装着することにより、シフトパネル５を上下フレーム２０・２１および縦枠２２に仮組み装着できる。その状態で、連結壁８６を上下フレーム２０・２１にビスで締結することにより、シフトパネル５を上下フレーム２０・２１と一体化できる。
【００４４】
図４、図１０および図１１にシフトパネル５が閉じられて、中央のシフトパネル５と左右の開閉パネル６とが面一になっている状態を示す。この状態においては、図１０に示すように、ロック爪５４がロック係合部５５と係合して、ラックブロック２５をシフトばね２８の引っ張り力に抗して、ベース２４の前方の待機状態に位置保持している。また、上下の解除ロッド６６・６７は、ロックばね５６で互いに離れる向きに移動付勢されて、ロック爪５４とロック係合部５５と係合状態を保持している。
【００４５】
上記の状態から解除ボタン６５を押し込み操作すると、カム枠７０がパネル内方へ押し込まれる。そのため、上下のスライド枠６８に設けた受動ピン７７は、カム溝８０でロックばね５６の付勢力に抗しながら互いに接近する向きに引き寄せられ、上側のロック爪５４は下方へ、下側のロック爪５４は上方へ移動して、ロック係合部５５との係合を解除する。ロック機構がロック解除操作されると、図１１に示す位置に保持されていたラックブロック２５が、シフトばね２８でベース２４の後方のシフト位置へ引き寄せられる。そのためピニオンレバー２６は図１に示すように揺動軸４０の回りに揺動操作され、さらに平行リンク機構２７がピニオンレバー２６に連動して前向きに揺動する。その結果、シフトパネル５は閉じ位置から引き違い位置へと平行移動する。このように、シフトパネル５はワンタッチ操作で自動的に引き違い位置へシフト移動できる。
【００４６】
上記のように、シフトパネル５を引き違い位置へ進出変位させた状態では、図９に示すように、シフトパネル５およびロック機構などが開閉パネル６の外郭線より前方に位置するので、シフトパネル５は、キャビネット本体１の前面開口２の左右方向の全範囲にわたって自由に移動操作でき、左右の開閉パネル６のいずれか一方は、それまでシフトパネル５が占めていた位置へ開放できる。さらに、左右の開閉パネル６を同時に移動操作して、開放位置を変更できる。
【００４７】
例えば、図４に想像線で示すように、シフトパネル５を左側の開閉パネル６の外面に重なるように開放操作すると、キャビネット本体１の前面開口２の中央部分を開放できる。この状態で右側の開閉パネル６を中央部分へ移動操作すると、前面開口２の右方端を開放できる。左右の開閉パネル６・６が隣接する状態のままで、両パネル６・６を前面開口２の右方端まで開放移動し、さらにシフトパネル５を前面開口２の中央、あるいは右方端まで移動操作すると、前面開口２の左方端を開放できる。
【００４８】
以上のように本発明のフラット引戸によれば、シフトパネル５を引き違い位置へ平行移動させるだけで、開閉パネル６とシフトパネル５の左右位置を自由に入れ換えることができ、しかも開放位置を自由に変更できるので、従来のこの種のフラット引戸に比べて使い勝手を格段に向上できる。また、シフトパネル５と開閉パネル６のいずれかひとつを開放操作した状態では、両パネル５・６を完全に前後に重なる状態にして開放幅を大きくできるので、キャビネット本体１に対する収納対象の出し入れを容易に行なえる。
【００４９】
シフトパネル５を閉じ位置へ戻す場合には、開閉パネル６を左右両端か、右寄せ、あるいは左寄せする。次に、開口位置までシフトパネル５を移動したのち、キャビネット本体１へ向かってシフトパネル５を押し込み操作すると、出力レバー４５を含む平行リンク機構２７が徐々に折りたたまれる。また、平行リンク機構２７と連動するピニオンレバー２６によって、ラックブロック２５がシフトばね２８に抗しながらベース２４の前方の待機位置へ移動操作される。同時に、シフトパネル５の側に組み付けられた上下のロック爪５４が、ラックブロック２５に接近移動する。
【００５０】
そして、係合爪６０の先端がラックブロック２５の前縁下面に接当すると、上下のロック爪５４がロックばね５６の付勢力に抗して押し込み操作され、やがて係合爪６０がロック係合部５５に落ち込み係合して、ラックブロック２５を係合捕捉する。このとき、カム枠７０と解除ボタン６５が復帰操作される。このように、引き違い位置へシフト移動したシフトパネル５は、パネル全体を押し込み操作するだけで閉じ位置に復帰させ、その位置に位置保持できる。
【００５１】
シフトパネル５が左右の開閉パネル６の間に嵌まり込む直前の状態において、開口位置とシフトパネル５の位置に僅かなずれを生じていることがある。その場合には、シフトパネル５の両側内面に形成した傾斜面（図４参照）が左右の開閉パネル６周縁に接当して、開口位置の位置に合致する向きへシフトパネル５が変位操作される。したがって、開口位置とシフトパネル５の位置とは、厳密に位置合わせする必要はなく、シフトパネル５を押し込み操作する過程で概ね位置合わせしてあればよい。上記のようにシフトパネル５を閉じ位置へ戻すことにより、シフトパネル５と開閉パネル６は再び面一状になる。この閉じ状態においては、隣接するシフトパネル５と開閉パネル６とは殆ど隙間のない状態で隣接しており、したがって害虫や塵埃などの侵入を確実に防止できる。外観上の印象も向上できる。上下寸法が大小に異なる縦枠１２・２２を複数種用意しておくことにより、シフトパネル５および開閉パネル６のサイズの違いに対応して、上下フレーム１０・１１・２０・２１やシフト機構などを共通使用できる。
【００５２】
図１３ないし図１５は、シフト機構の別の実施例を示す。そこでは、シフト機構にダンパー９３を設けて、シフトパネル５が閉じ位置から引き違い位置へ平行移動するときの移動動作を緩衝できるようにした。具体的には、ガイド溝３５に隣接するベース２４の凹部にダンパー９３を設けて、ラックブロック２５がシフトばね２８で引き戻されるとき、ラックブロック２５を緩速度で移動できるようにした。ダンパー９３は、ケース９４の内部にオイルと復帰ばねを封入した市販のオイルダンパーであり、その一端に緩衝ロッド９５が突出してある。
【００５３】
シフトパネル５が閉じ位置にあるとき、緩衝ロッド９５の突端は、図１５に示すようにロック係合部５５と係合する係合爪６０の近傍に位置している。したがって、係合爪６０とロック係合部５５との係合状態が解除されて、ラックブロック２５がベース２４の後方へ向かって移動し始めると、すぐにロック係合部５５が緩衝ロッド９５の突端に接当する。そのためラックブロック２５はゆっくりと移動するしかなく、シフトパネル５はラックブロック２５の移動速度に同期してゆっくりとシフト位置へ移動させることができる。なお、ダンパー９３は、オイルダンパー以外にエアダンパーを適用することができる。また、ダンパー９３を、ガイド溝４９でスライド案内されるピン４７とベース２４との間に配置して、緩衝ロッド９５の突端でピン４７を受け止める形態で使用することができる。要は、ダンパー９３はシフト機構の動作部分に配置してあればよい。
【００５４】
上記の実施例では、１個のシフトパネル５と左右の開閉パネル６でフラット引戸を構成したが、その必要はない。シフトパネル５と開閉パネル６は少なくとも１個ずつあればよい。また、複数個のシフトパネル５と１個以上の開閉パネルでフラット引戸を構成することもできる。本発明のフラット引戸は、流し台の下部のキャビネットや、家具にも適用できる。
【００５５】
上記の実施例以外に、ガイド体４９は溝である必要はなく、ピン４７を前後に挟むリブや突起で構成することができる。シフト機構およびロック爪５４は、シフトパネル５の上下いずれか一方に設けてあってもよい。解除具６５は押しボタン構造である必要はなく、スライドノブやレバーなどに変更することができる。
【図面の簡単な説明】
【００５６】
【図１】シフト機構の平面図である。
【図２】キャビネットの外観斜視図である。
【図３】フラット引戸の正面図である。
【図４】フラット引戸の平面図である。
【図５】開閉パネルの支持構造を示す正面図である。
【図６】シフトパネルの支持構造を示す正面図である。
【図７】シフト機構の分解斜視図である。
【図８】ロック機構の分解斜視図である。
【図９】シフトパネルをシフト移動させた状態の図３におけるＡ−Ａ線断面図である。
【図１０】シフトパネルを閉じ移動させた状態の図３におけるＡ−Ａ線断面図である。
【図１１】閉じ状態におけるシフト機構の平面図である。
【図１２】出力レバーの支持構造を示す縦断側面図である。
【図１３】シフト機構の別の実施例を示す平面図である。
【図１４】シフト機構がシフト移動した状態の平面図である。
【図１５】図１３におけるＢ−Ｂ線断面図である。
【符号の説明】
【００５７】
１  キャビネット本体
２  前面開口
３  ガイドレール
４  ガイドレール
５  シフトパネル
６  開閉パネル
７  レール溝
８  レール溝
１５  ランナー
２４  ベース
２５  ラックブロック
２６  ピニオンレバー
２７  平行リンク機構
２８  シフトばね
４５  出力レバー
【図１】
2009263947.tif 000003
【図２】
2009263947.tif 000004
【図３】
2009263947.tif 000005
【図４】
2009263947.tif 000006
【図５】
2009263947.tif 000007
【図６】
2009263947.tif 000008
【図７】
2009263947.tif 000009
【図８】
2009263947.tif 000010
【図９】
2009263947.tif 000011
【図１０】
2009263947.tif 000012
【図１１】
2009263947.tif 000013
【図１２】
2009263947.tif 000014
【図１３】
2009263947.tif 000015
【図１４】
2009263947.tif 000016
【図１５】
2009263947.tif 000017